(57)【特許請求の範囲】
【請求項１】
天然繊維、化学繊維の単独もしくは混合した繊維を、乾式法又は湿式法でウェブ状もしくはマット状に配列させ、接着或いは繊維自身の融着力によって繊維相互を接合させて得られる不織布上に、抗菌性金属イオンからなる抗菌剤が添加・混合されているワックス層が離型層を介して積層されており、対象物の拭き取り時に、対象物の表面に付着している塵埃等の物質を化学電気的に吸着すると同時に、対象物の表面にワックス層が転移して抗菌性を付与することを特徴とする抗菌性転移シート。
【請求項２】
天然繊維、化学繊維の単独もしくは混合した繊維を、溶融状態の離型剤中に浸漬させた後乾式法または湿式法でウェブ状もしくはマット状に配列させ、接着或いは繊維自身の融着力によって繊維相互を接合させて得られる不織布上に、抗菌性金属イオンからなる抗菌剤が添加・混合されているワックス層が積層されていることを特徴とする抗菌性転移シート。
【請求項３】
前記抗菌剤が、抗菌性金属イオンをイオン交換して担持しているゼオライト粒子、あるいは抗菌性金属イオンを含有する溶解性ガラス粉末からなることを特徴とする請求項１または請求項２記載の抗菌性転移シート。
【請求項４】
前記抗菌剤が前記ワックス層を形成するワックス樹脂に対して０．１〜３０重量％添加・混合されていることを特徴とする請求項１〜３のいずれか１項に記載の抗菌性転移シート。
【請求項５】
前記ワックス層を形成するワックス樹脂が水性ワックス、油性ワックス、乳化性ワックス、樹脂ワックスのいずれかからなることを特徴とする請求項１、請求項２又は請求項４記載の抗菌性転移シート。
【発明の詳細な説明】
【０００１】
【発明の属する技術分野】
本発明は、テーブル、電気製品等の表面に付着する塵埃等の物質を化学電気的に吸着すると同時に、テーブル、電気製品等の表面に抗菌性を付与することのできる抗菌性転移シートに関する。
【０００２】
【従来の技術】
従来、化学雑巾は通常の繊維からなるシート状物に非イオン系界面活性剤を含んだ鉱物系油剤又は植物系油剤を含浸させたものであり、テーブル、電気製品等の表面の塵埃を吸着して清浄化することはできるものであるが、その対象物自体に抗菌性を付与し、そのもの自体に雑菌等の繁殖を防ぐという機能を持たせるものではなかった。
【０００３】
【発明が解決しようとする課題】
そこで、本発明は上記のような問題点を解決する為になされたもので、塵埃等の物質を化学電気的に吸着すると同時に、その対象物の表面に抗菌剤が転移することを可能とすることにより、対象物の清浄化と抗菌化とを同時に達成することのできる抗菌性転移シートを提供するものである。
【０００４】
【課題を解決するための手段】
上記目的を達成するための本発明の解決手段は、天然繊維、化学繊維の単独もしくは混合した繊維を、乾式法又は湿式法でウェブ状もしくはマット状に配列させ、接着或いは繊維自身の融着力によって繊維相互を接合させて得られる不織布上に、抗菌性金属イオンからなる抗菌剤が添加・混合されているワックス層が離型層を介して積層されており、対象物の拭き取り時に、対象物の表面に付着している塵埃等の物質を化学電気的に吸着すると同時に、対象物の表面にワックス層が転移して抗菌性を付与することを特徴とする抗菌性転移シートである。
【０００５】
また、天然繊維，化学繊維の単独もしくは混合した繊維を、溶融状態の離型剤中に浸漬させた後乾式法または湿式法でウェブ状もしくはマット状に配列させ、接着或いは繊維自身の融着力によって繊維相互を接合させて得られる不織布上に、抗菌性金属イオンからなる抗菌剤が添加・混合されているワックス層が積層された抗菌性転移シートである。
【０００６】
このようにすることにより、塵埃等の物質を化学電気的に吸着するとと同時に、その対象物の表面に抗菌剤が転移することを可能とし、対象物の拭き取り表面が清潔に保たれるものである。
【０００７】
また、抗菌剤を、ワックス層を形成するワックス樹脂に対して０．１〜３０重量％添加・混合することにより、拭き取り物表面の抗菌性を確実に発揮させることが可能となるものである。
【０００８】
また、抗菌剤を、抗菌性金属イオンをイオン交換して担持しているゼオライト粒子、あるいは抗菌性金属イオンを含有する溶解性ガラス粉末からなるものとすること、およびワックス層を形成するワックス樹脂を水性ワックス、油性ワックス、乳化性ワックス、樹脂ワックスのいずれかからなるものとすることにより、安定した転移が可能となるものである。
【０００９】
【発明の実施の形態】
以下に、本発明の実施形態を図１〜図３に従って詳細に説明する。
図１は、本発明の抗菌性転移シートの断面図，図２は、対象物にワックス層が転移された状態を示す断面図、図３は、他の実施形態の断面図である。図において、Ａは抗菌性転移シート、Ｂは対象物、１は不織布、２は離型層、３はワックス層、４は抗菌剤である。
【００１０】
本発明の抗菌性転移シートは、図１に示すように不織布１の表面となる側に離型層２を形成するとともに、離型層２上に抗菌性金属イオンからなる抗菌剤が添加・混合されているワックス層３を形成した積層体からなるものである。
【００１１】
不織布１は、パルプ繊維，ナイロン，レーヨン，ビニロン，ポリプロピレン，ポリエチレン、ポリエステル，ポリアミド，アクリル，ポリビニルアルコール等の単独または混合した繊維を、スパンレース法，メルトブロー法，スパンボンド法等の乾式法又は湿式法でウェブ状もしくはマット状に配列させ、接着剤或いは繊維自身の融着力によって繊維相互を接合させて得られるものである。この不織布を何層にも重ね厚手のものとすることにより、塵埃等をより拭き取りやすくなるものである。
【００１２】
離型層２は、後述するワックス層に対して離型性を有するものであればよく、、不織布１上に、グラビアコートやロールコート等の方法で形成される。また、離型層２上に形成されるワックス層は、ロールコートや霧状のものを吹き付けてコートするスプレーコート等の方法により設けることができる。
【００１３】
ワックス層３は、ワックス樹脂中に、抗菌性金属イオンからなる抗菌剤４が添加・混合されたものであり、ワックス樹脂としては水性ワックス，油性ワックス，乳化性ワックス，樹脂ワックスを使用でき、抗菌剤４としては、銅イオン，銀イオン，亜鉛イオンの１種または２種以上をイオン交換により担持した公知のゼオライト固体粒子或いは銀イオン，銅イオン，亜鉛イオンの単独もしくは２種以上を含有する溶解性硝子を使用することができる。溶解性硝子とは、制御された溶解速度を持つようにガラスの物理的，化学的特性を考慮して組成を調整したガラスの総称であり、銀化合物，銅化合物，亜鉛化合物を含有させた溶解性硝子は数時間から数年間の任意の期間に渡って定められた一定速度で銀イオン，銅イオン，亜鉛イオンを溶出させることができるものである。
【００１４】
また、ワックス樹脂中に添加する抗菌剤４の添加量は、０．１〜３０重量％の範囲とする。抗菌剤４の添加量を３０重量％以上としても抗菌効果はほとんど変化せず、また、０．１重量％以下であると十分な抗菌効果が得られず好ましくない。
【００１５】
図２は、本発明の抗菌性転移シートを用いて、例えば机等の対象物Ｂを拭いた状態を示したものであり、抗菌性転移シートのワックス層３が、不織布１に剥離層２を残して対象物Ｂに転移しており、対象物Ｂに抗菌性を付与することができる。
【００１６】
また、図３は、本発明の抗菌性転移シートの他の実施例を示すものであり、不織布１を構成する各繊維１１を取り囲むように離型層２が形成されている。例えば、不織布１は、ポリエステル，ポリプロピレン，ポリアミド等からなる繊維を、溶融状態の離型剤２中に浸漬させて形成される。このようにすれば、離型性２を有する不織布１を一度に製造できるため、より安価に抗菌性転移シートを製造することができる。
【００１７】
【発明の効果】
本発明の抗菌性転移シートは、不織布上もしくは不織布を形成する繊維表面に離型層を介して抗菌性金属イオンからなる抗菌剤が添加・混合されたワックス層が形成された積層構成からなり、対象物を本発明の抗菌性転移シートで拭き取ると、ワックス層が対象物側に転移し、対象物に抗菌性を付与することができる。このため、本発明の抗菌性転移シートで拭くだけで、必要な時に、誰でも簡単に抗菌性を付与することができる。
【図面の簡単な説明】
【図１】本発明の抗菌性転移シートの断面図。
【図２】本発明の抗菌性転移シートで対象物を拭いた状態の模式断面図。
【図３】本発明の抗菌性転移シートの他の実施形態の断面図。
【符号の説明】
Ａ  抗菌性転移シート
Ｂ  対象物
１  不織布          １１  繊維
２  離型層
３  ワックス層
【図１】
0003841891.tif 000002
【図２】
0003841891.tif 000003
【図３】
0003841891.tif 000004